(57)【要約】    【課題】  遮音性能、気密性能が高く、しかも操作性に優れた引戸装置を提供する。    【解決手段】  引戸がガイドレールにより誘導され、開口部に隣接する隣接壁部に対面する開位置と、開口部に対面する位置から出入方向にスライドするとともに開口部に設けられた戸当りに当接した開口部を塞ぐ閉位置との間を平行移動可能となっている引戸装置であって、前記戸当りは、磁石を有するパッキンが設けられ、前記引戸は、少なくともその表面が、磁力により前記磁石と引き合い吸着する金属で形成され、前記パッキンは、開口部の両側部及び上部に設けられ、前記ガイドレールは、水平で筒状の基体と、前記引戸を吊下げる支持軸を有し前記基体内を移動する移動部とを具え、前記基体は、前記移動部の支持軸が挿通しかつ斜行部を有するスリット状のガイド部を具えたことを特徴とする。【選択図】  図５
2005146782.tif 000002
【特許請求の範囲】
【請求項１】
引戸がガイドレールにより誘導され、開口部に隣接する隣接壁部に対面する開位置と、開口部に対面する位置から出入方向にスライドするとともに開口部に設けられた戸当りに当接した開口部を塞ぐ閉位置との間を平行移動可能となっている引戸装置であって、
前記戸当りは、磁石を有するパッキンが設けられ、
前記引戸は、少なくともその表面が、磁力により前記磁石と引き合い吸着する金属で形成されたことを特徴とする引戸装置。 
【請求項２】
前記パッキンは、開口部の両側部及び上部に設けられたことを特徴とする請求項１記載の引戸装置。
【請求項３】
前記ガイドレールは、水平で筒状の基体と、前記引戸を吊下げる支持軸を有し前記基体内を移動する移動部とを具え、
前記基体は、前記移動部の支持軸が挿通しかつ斜行部を有するスリット状のガイド部を具えたことを特徴とする請求項１又は２記載の引戸装置。
【請求項４】
前記移動部は、前記基体内をその長手方向に走行する第１の移動部と、該第１の移動部上を前記長手方向に対し直角方向に移動し、かつ前記支持軸を具えた第２の移動部とからなることを特徴とする請求項１〜３のいずれかに記載の引戸装置。
【請求項５】
前記隣接壁部は、引戸の下部を誘導する下レールを設けたことを特徴とする請求項１〜４のいずれかに記載の引戸装置。
【請求項６】
前記下レールは、隣接壁部の下部に設けられた幅木に一体に形成されたことを特徴とする請求項５記載の引戸装置。
【発明の詳細な説明】
【技術分野】
【０００１】
本発明は、住宅等の建築物の壁の開口部に設けられる引戸装置であって、確実に開口部を塞ぐことができるため遮音性能と気密性能が高く、しかも操作性に優れた引戸装置に関する。
【背景技術】
【０００２】
従来の引戸装置は、図１０に示すように、案内レール２１と、該案内レール２１に案内され開閉する引戸２２とを具え、前記案内レール２１は、断面コの字形レール材をその開口を下向きにして側部が壁面に固定された上案内レール２１Ａと、該上案内レール２１Ａと同一軌道を有し、床面に設けられた溝によって形成された下案内レール２１Ｂとからなる。そして、前記引戸２２の上部及び下部両端には、引戸に垂直に設けられた軸にボールベアリング等を嵌着して構成した滑子２３が軸着され、該滑子２３は上下の案内レール２１にスライド自在に嵌合され、かつ前記上下の案内レール２１の出入口開口部２４の両側部に、滑子２３が格納される滑子格納部２５が形成される。然して、上下の案内レール２１に案内されスライドする引戸２２は、出入口開口部２４において、前記滑子２３が滑子格納部２５に格納されることにより、前記出入口開口部２４に嵌め込まれ、そして出入口開口部２４の内周縁に設けられた図示されない戸当りに当接する。
【０００３】
さらに、前記引戸２２は、内部で屈曲した取っ手２６が左右２箇所に形成され、該取っ手２６を用いて引戸２２を左右に開閉させるとともに、前記出入口開口部２４内で、引戸２２の厚さ方向に移動させることができる。そして、前記引戸２２は、その両側部に固定具としてラッチボルト２７ａが形成されており、出入口開口部２４の両側部に設けられた受座の溝２７ｂと嵌合することにより引戸２２は出入口開口部２４に固定され、この結果、出入口開口部２４は隙間なく閉められる（例えば、特許文献１参照。）。
【０００４】
【特許文献１】特開２００２−２２０９６５号公報
【発明の開示】
【発明が解決しようとする課題】
【０００５】
しかし、前記従来の引戸装置では、引戸２２を出入口開口部２４内に嵌め込む際に、取っ手２６を用いて引戸２２をその厚さ方向にスライドさせて戸当りに確実に当接させる必要があり、しかもラッチボルト２７ａを操作して引戸２２を固定することが要求され、これら一連の操作が確実でない場合、引戸２２と戸当りとの間に隙間ができ、その結果遮音性が損なわれて、隣室の音が漏れ聞こえ、或いは気密性が失われて冷暖房効果が低下するという問題がある。そして、一連の操作を確実に行なうためには、手間と時間がかかり、特に出入の頻度が高い場合は、出入の都度これら操作を確実に行なうことは実質上不可能である。しかも操作が複雑な上一定以上の力を必要とするため、幼少者、高齢者、障害者などは操作が困難である。
【０００６】
本発明の課題は、前記した引戸装置が有する問題点を解消し、遮音性能、気密性能が高く、しかも操作性に優れた引戸装置を提供することである。
【課題を解決するための手段】
【０００７】
前記目的を達成するために、請求項１記載の発明は、引戸がガイドレールにより誘導され、開口部に隣接する隣接壁部に対面する開位置と、開口部に対面する位置から出入方向にスライドするとともに開口部に設けられた戸当りに当接した開口部を塞ぐ閉位置との間を平行移動可能となっている引戸装置であって、前記戸当りは、磁石を有するパッキンが設けられ、前記引戸は、少なくともその表面が、磁力により前記磁石と引き合い吸着する金属で形成されたことを特徴とする。
【０００８】
また請求項２記載の発明は、前記パッキンは、引戸の両側部及び上縁部に設けられたことを特徴とする請求項１記載の引戸装置である。
【０００９】
また請求項３記載の発明は、前記ガイドレールは、水平で筒状の基体と、前記引戸を吊下げる支持軸を有し前記基体内を移動する移動部とを具え、前記基体は、前記移動部の支持軸が挿通しかつ斜行部を有するスリット状のガイド部を具えたことを特徴とする請求項１又は２記載の引戸装置であり、また請求項４記載の発明は、前記移動部は、前記基体内をその長手方向に走行する第１の移動部と、該第１の移動部上を前記長手方向に対し直角方向に移動し、かつ前記支持軸を具えた第２の移動部とからなることを特徴とする請求項１〜３のいずれかに記載の引戸装置である。
【００１０】
また請求項５記載の発明は、前記隣接壁部は、引戸の下部を誘導する下レールを設けたことを特徴とする請求項１〜４のいずれかに記載の引戸装置であり、また請求項６記載の発明は、前記下レールは、隣接壁部の下部に設けられた幅木に一体に形成されたことを特徴とする請求項５記載の引戸装置である。
【発明の効果】
【００１１】
本発明は叙上の如く構成しているため、金属で形成された引戸は、閉位置において、戸当りに設けられたパッキンの磁石と引き合い吸着するため戸当りとの間に隙間が発生することがなく、従って、音漏れを防止し高い遮音性を確保しうるとともに、気密性が維持でき冷暖房効果が高まる。また、閉位置に向う動作によって戸当りに近づいた引戸は、パッキンの磁石と引き合う磁力で自動的に引き付けられ、該パッキンを介して戸当りに当接するため、操作が簡単でしかも動作の信頼性が高く、幼少者、高齢者など弱者でも、確実に操作しうる。
【発明を実施するための最良の形態】
【００１２】
以下、本発明の実施の一形態を、図示例とともに説明する。本発明の引戸装置１は、ガイドレール３と、下レール１２とに誘導され、隣接壁部５に対面する開位置６と、開口部４に設けられた戸当り８に当接し、かつ開口部４を塞ぐ閉位置７との間を平行移動可能に支持された引戸２を具えるものである。
【００１３】
前記開口部４は、図１、２に示すように、人の出入、採光、通風等のため、住宅等建築物の居室と廊下、又は隣接する居室間等に立設された間仕切壁、又は外壁等の壁Ｗに設けられた空所であり、高さは例えば１８００〜２７００ｍｍ程度、幅は例えば７００〜１６００ｍｍ程度に形成される。
【００１４】
前記隣接壁部５は、前記壁Ｗの中で、前記開口部４に隣接し、かつ開位置６の引戸２と向き合う部分で構成され、主壁部３１と、該主壁部３１の開口部４側に連続して形成される縁壁部３２とからなる。
【００１５】
前記主壁部３１は、図４、５に示すように、下地桟３３の両側に石膏ボード、合板等の内装下地板３４を固定し、更にその上に壁クロス、壁紙、塗り壁等の仕上層（図示せず）を積層している。また本形態では、前記主壁部３１とこれに続く壁Ｗとは、同じ厚さで段差なく形成するとともに、前記仕上層は連続して形成しているため、外観が優れるとともに設計施工の作業を合理化しうる。更に前記主壁部３１とこれに続く壁Ｗとを下地を含めて連続した一体構造として構成することもできる。
【００１６】
前記縁壁部３２は基板３５と、該基板３５の一方側に設けた傾斜部材３６と、他方側に設けた内装下地板３７とからなり、前記傾斜部材３６は、引戸２に対面する表面が、開口部４に近い程後退する傾斜部３６Ａを具える。該傾斜部材３６は、本形態では、再生木材の押出し成形で中実に形成しているが、Ｖカット加工を用いた修正木材、合整成樹脂の押出し成形等で中空に形成することもできる。また基板３５と、傾斜部材３６と、内装下地板３７とを予め一体化した縁壁パネルを、前記主壁部３１の開口部４側に取付けて縁壁部３２を形成することもできる。さらには、主壁部３１と縁壁部３２とを予め一体化した隣接壁部パネルを使用するなど、各種の変形が可能である。
【００１７】
前記ガイドレール３は、図３、６に示すように、水平な筒状の基体１０と、この基体１０内を移動する移動部１１とからなる。そして前記基体１０は、下方に開口する溝部３８と、ガイド板３９とを具え、前記隣接壁部５の上部と開口部４の上部とに亘り設けられる。前記基体１０は、上部に立設した取付片５３がビス５４により壁Ｗに固着され、かつ該基体１０の上面及び前面は、横Ｌ字状の化粧木材等からなる飾り材５５により覆われる。  
【００１８】
前記ガイド板３９は、図５に示すように、引戸２の幅寸法よりも少し短い間隔で、前記基体１０の長手方向に縦列した２個のスリット状のガイド部４０, ４０を具える。そしてこのガイド部４０は、前記隣接壁部５に平行な方向の直行部４１と、この直行部４１に連続し、該直行部４１から開口部４に漸次近づき、前記直行部４１に対し平面視斜めを向く斜行部４２を有し、本形態では、前記斜行部４２は平面視湾曲状に形成されている。
【００１９】
前記移動部１１は、第１の移動部１１Ａと、第２の移動部１１Ｂとからなり、第１の移動部１１Ａは、前記基台４３と、該基台４３の両側に各々２個設けられた第１の車輪４４Ａとを具え、該第１の車輪４４Ａが、基台４３のリップからなる走路４５上を走行することにより、移動部１１は、基体１０内を該基体１０の長手方向に移動する。前記第２の移動部１１Ｂは、計４個の第２の車輪４４Ｂを具え、前記第１の移動部１１Ａの基台４３上を前記長手方向に直行する方向に移動する。
【００２０】
前記第２の移動部１１Ｂは、その下部から垂下した支持軸４６を有し、該支持軸４６は、前記第１の移動部１１Ａの基台４３に設けられ、かつ前記基体１０の長手方向に直交する方向に形成された長孔４７、及び前記ガイド部４０を挿通して下方に伸び、その下端に取付プレート４８を具える。前記取付プレート４８は、前記引戸２の上部に形成されたスリット４９に嵌合固定し、これにより引戸２は、移動部１１から吊下がった状態で支持される。前記基体１０内に２個設けられた移動部１１の支持軸４６, ４６は、前記２個のガイド部４０, ４０にそれぞれ挿通し、引戸２の両端部を各々支持している。これにより、前記ガイドレール３に支持された引戸２は、隣接壁部５に対面する開位置６と、該開位置６から隣接壁部５に沿って移動するとともに、前記支持軸４６がガイド部４０の斜行部４２内を移動することにより、開口部４を塞ぐ閉位置７との間を平行移動しうる。なお本明細書において閉位置７とは、引戸２が開口部４に対面する位置から開口部４の出入方向にスライドすることにより該開口部４の内側に嵌まり、開口部４を塞ぐ引戸２の位置を言う。図５において、開位置６、閉位置７における引戸２を各々２Ａ、２Ｂで示す。
【００２１】
前記支持軸４６は、図５に示すように、前記引戸２が閉位置７に至る直前と、閉位置７から開き始めた直後において、ガイド部４０の斜行部４２内を移動するため、支持軸４６に吊下げられた引戸２は、矢印Ｘの方向に小さく斜めに平行移動する（図５の引戸２Ｃがその時の状態を示す）。しかし、前記隣接壁部５は、傾斜部３６Ａを設けているため、前記引戸２は、その端部が隣接壁部５と衝突することがなく、傾斜部３６Ａの前方に形成された空間Ｓを移動し、スムースな開閉動作を可能とする。さらに、前記の如く、引戸２と隣接壁部５の衝突が回避されるため、前記ガイドレール３の斜行部４２を緩やかに形成することにより引戸２の開閉の動線を更に滑らかとすることができ、これにより引戸２の開閉に要する力を減じることができるとともに、引戸２が戸当りに当る際の衝撃を緩和でき、騒音と振動の発生を抑制しうる。
【００２２】
前記隣接壁部５は、図４、６、８に示すように、その下部に幅木１３が設けられ、該幅木１３は、主壁部３１に続く壁Ｗに連続して伸び、一連に形成されている。また前記幅木１３は、前記縁壁部３２の傾斜部３６Ａに沿い、開口部４に近い程その表面が後退する幅木傾斜部５０を具える。
【００２３】
また、前記幅木１３は、下方に向き開口する溝形の下レール１２を一体に設けている。該下レール１２は、基板１２ａと、該基板１２ａの略中央から前方に水平に伸びるウエブ１２ｂと、該ウエブ１２ｂの前端で上下に伸びる前板１２ｃとが一体に形成された断面略Ｈ字状をなし、前記幅木傾斜部５０において、前記縁壁部３２の傾斜部３６Ａに沿い形成された下レール傾斜部５２を有する。また前記下レール１２は、前板１２ｃを幅木１３に嵌合することにより、幅木１３と一体化し、しかも前記基板１２ａを隣接壁部５の下地部５Ａに固着することにより、下レール１２及び幅木１３は、隣接壁部５の下部に取付けられる。
【００２４】
また、前記引戸２は、図８に示すように、その下部に、アングル状の基部５１ａと、該基部５１ａから隣接壁部５に向けて水平に伸びた板状の腕５１ｂと、該腕５１ｂの先端に設けられたローラ５１ｃとからなる支持部５１を取付け、該支持部５１のローラ５１ｃは、前記下レール１２内に挿入している。これにより、引戸２は、隣接壁部５の面方向に直角に揺動することを防止でき、しかも引戸２が閉位置７に至る直前と、閉位置７から開き始めた直後に、引戸２が小さく斜め方向に平行移動する際、前記下レール傾斜部５２は、引戸２の下部を確実に支持するため、引戸２をスムースに開閉することができる。さらに、下レール１２と幅木１３とは、一体に形成しているため、外観が優れる。
【００２５】
前記開口部４には、閉位置７の引戸２と対面する戸当り８が形成されている。そして、本形態の戸当り８は、図４に示すように、隣接壁部５の縁壁部３２の端部に形成された摺り戸当り８Ａと、開口縦枠５７に取付けられ摺り戸当り８Ａに対向する受け戸当り８Ｂと、図７に示すように、開口部４の垂れ壁５６の下部に形成された上戸当り８Ｃとを含み構成されたものを例示している。
【００２６】
前記戸当り８は、閉位置７の引戸２と対面する箇所にパッキンＰが設けられ、閉位置７の引戸２と該パッキンＰを介して当接する。そして本形態では、摺り戸当り８Ａと、受け戸当り８Ｂに設けられたパッキンＰが開口部４の両側部に配され、上戸当り８Ｃに設けられたパッキンＰが開口部４の上部に配されている。
【００２７】
前記パッキンＰは、図９に示すように、その内部に磁石９を有している。本形態のパッキンＰは、棒状の磁石９を全長に亘り埋設して構成されたものを例示しているが、粒状の磁石９を全体に含有して構成することもできる。なおパッキンＰは、クロロプレンゴム、スチレン・ブタジエンゴム、イソプレンゴムなどのゴム、オレフィン系、スチレン系、塩化ビニル系などの熱可塑性エストラマー、その他の弾性材料を用いて形成されている。また本形態のパッキンＰは、内部に空所５８を設けることにより、変形性能を高めている。  
【００２８】
また、前記引戸２は、少なくともその表面が前記磁石９と磁力により引き合い吸着する金属で形成されている。本形態の引戸２は、図９に示すように、フレーム５９の両側に鋼板を用いた表面化粧板６０, ６０を添着して構成されたものを例示している。引戸２はハニカムコアの表面に金属板を添着して構成することもでき、或いは鋼板をロール成形によりパネル状の折り曲げて形成することもできる。また引戸２の表面を構成する金属は、更にその上に前記磁石９と引き合う磁力が透過する程度の厚さの塗料、化粧シートなどで形成された化粧層を設けることもできる。
【００２９】
しかして、図５に示すように、閉位置７に位置する引戸２は戸当り８に設けられたパッキンＰの磁石９と磁力によって引き合い吸着する。そのため、前記ガイドレール３に案内され隣接壁部５に対面する開位置６と、開口部４を塞ぐ閉位置７との間を平行移動する引戸２は、閉位置７に向け移動するとき、閉位置７に至る直前に、支持軸４６がガイド部４０の斜行部４２内を移動することにより、矢印Ｘの方向に斜めに平行移動して戸当り８に衝突し、その際の反動により押し戻す力が作用しても、前記磁力により隙間を生じることがなく、その結果気密性能、遮音性能が向上し、冷暖房効果が高まる。しかも、引戸２を閉める動作で戸当り８に衝突する際に反力を受けても、前記磁力により開くことがないため、比較的ラフな操作で引戸２を閉めることができるなど引戸２の操作性に優れる。
【００３０】
なお、引戸２は、図６、７に示すように、その下端部に床Ｆとの間を塞ぐ気密片６１を設けている。これにより、前記開口部４の両側部及び上部に設けられたパッキンＰと併せ、引戸２の四周全周に亘る気密性を維持することができる。
【図面の簡単な説明】
【００３１】
【図１】本発明の一実施の形態を例示する正面図である。
【図２】その一部分解斜視図である。
【図３】その要部拡大分解斜視図である。
【図４】図１のＡ−Ａ断面図である。
【図５】図１のＢ−Ｂ断面図である。
【図６】図１のＣ−Ｃ断面図である。
【図７】図１のＤ−Ｄ断面図である。
【図８】下レール部分を拡大した斜視図である。
【図９】パッキンを含む要部を拡大した斜視図である。
【図１０】従来例を示す斜視図である。
【符号の説明】
【００３２】
１      引戸装置
２      引戸
３      ガイドレール
４      開口部
５      隣接壁部
６      開位置
７      閉位置
８      戸当り
９      磁石
１０      基体
１１      移動部
１１Ａ    第１の移動部
１１Ｂ    第２の移動部
１２      下レール
１３      幅木
Ｐ      パッキン
【図１】
2005146782.tif 000003
【図２】
2005146782.tif 000004
【図３】
2005146782.tif 000005
【図４】
2005146782.tif 000006
【図５】
2005146782.tif 000007
【図６】
2005146782.tif 000008
【図７】
2005146782.tif 000009
【図８】
2005146782.tif 000010
【図９】
2005146782.tif 000011
【図１０】
2005146782.tif 000012